【事件の表示】
　特許第２９６４８５９号「太陽電池装置」の請求項１乃至３に係る特許に対する特許異議の申立てについて、次のとおり決定する。
【結　論】
　特許第２９６４８５９号の請求項１乃至３に係る特許を維持する。
【理　由】
１．本件発明
　特許第２９６４８５９号（平成５年１２月２２日出願、平成１１年８月１３日設定登録）（以下、「本件特許」という）の請求項１乃至３に係る発明（以下、それぞれ「本件特許発明１」、「本件特許発明２」、「本件特許発明３」という）は、その特許請求の範囲の請求項１乃至３にそれぞれ記載された事項により特定されるものである。
　
２．申し立て理由の概要
　申立人　株式会社キクテック（以下、「申立人」という）は、本件特許発明１は、「周囲の照度に応じて充放電の切替夕イミングを設定するという条件の下では、負荷が一日に消費する当日分の負荷電力が変動することは明らかである。このことから、電気二重層コンデンサは可変容量タイプのものでなければならない。しかし、明細書及び図面中に電気二重層コンデンサが可変容量タイプである旨の記載は無い。よって、請求項１記載の特許発明が明確であるとはいえない。」から、特許法第１１３条第４号（同法第３６条第６項第２号）に該当し、よって、本件特許は特許法第１１４条第２項の規定により取り消されるべきと主張している。
さらに、申立人は、
　本件特許発明１について、
　＜１＞請求項１には、「電気二重層コンデンサの蓄電容量は、負荷が一日に消費する当日分の負荷電力を供給するだけの蓄電容量に設定されている」旨記載されている。この記載から、負荷が一日に消費する当日分の負荷電力は、季節を通して変動しない固定値（一定値）であり可変値ではないと思料される。
　＜２＞しかしながら、このように電気二重層コンデンサの蓄電容量が一定であることを前提とした場合、請求項１の記載には、以下のような矛盾が生じる。
　すなわち，負荷制御回路は、太陽電池から電気二重層コンデンサへの充電タイミングおよび電気二重層コンデンサから負荷への放電タイミングを制御するものであり、太陽電池の出力に基づく周囲の照度と設定値とを大小比較することによって１日を周期とする充放電の切替タイミングを制御するものである。
　ここで、上記設定値は、明細書中の【００４１】に「また、符号５は、負荷６への供給電力の制御を行う負荷制御回路で、太陽電池２の出力を検出し、その検出値が日没後に設定値以下となると照度の低下を検知して負荷６への電力を供給したり、供給時間の制御を行ったりするものである。」とあり、また、【００４４】に「周囲の照度が設定値以下となる日射量の少ない朝・夕や日射の無い夜間は、電気二重層コンデンサ３が負荷へ電力を供給する。」とあり、さらに、【００４５】に「一方、周囲の照度が設定値を越える日射量の大きな昼間に電気二重層コンデンサ３は、太陽電池２により充電され、負荷６が１日に消費する電力が充電される。」とあることから、明らかに日没、朝・夕における照度を考慮して設定された固定値（一定値）であり、可変値ではない。
　したがって、周囲の照度が設定値以下となるタイミング（時刻）及び周囲の照度が設定値を越えるタイミング（時刻）は、季節によって異なり、特に日の出が遅く日の入りが早い冬と日の出が早く日の入り遅い夏とで大幅にずれる。このため、季節によって１日における放電時間換言すると負荷の消費電力（負荷電力）は異なり、特に冬と夏とで大きな差を持つようになる。
　＜３＞このように、負荷制御回路の作用からすれば負荷の一日の消費電力が季節によって異なることになるにもかかわらず、電気二重層コンデンサの蓄電容量を一日の一定の負荷電力に基づいて設定するということは矛盾を生じることとなる。
　本件特許発明２乃至３に係る発明について、
　請求項１に上述したような記載不備がある限り、その従属クレームである請求項２、３にも記載不備があることは明らかである。
とも、主張している。
　
３．検討・判断
Ａ．申立人の主張について
　本件特許は、平成５年１２月２２日の出願であるから、申立人のした前記主張に関する上記２．申し立て理由の概要に記載の理由は、
　「特許請求の範囲の項には、請求項１乃至３記載の本件特許発明１乃至３の構成に欠くことができない事項のみが記載されているとは認められず、また、発明の詳細な説明の項には、その発明の属する通常の知識を有する者が容易にその実施をできる程度に、その発明の目的、構成及び効果を記載しているとも認められない。」旨を主張し、本件特許に係る出願は、特許法等の一部を改正する法律（平成二年六月一三日法律第三〇号）により改正された特許法第３６条第４項、第５項及び第６項に規定する要件を満たしていないので、拒絶されるべきものであったから、本件特許発明１乃至３は特許法第１１４条第２項の規定により取り消されるべき旨主張していると認められる。
　
Ｂ．本件特許に係る明細書の記載事項について
　【特許請求の範囲】の項には、
「【請求項１】　一日の日射量が雨天あるいは曇天の場合を想定し、その想定した雨天あるいは曇天の日射量で負荷が一日に消費する電力を発電するだけの容量を有し、日陰の場所にて設置可能な太陽電池と、
前記太陽電池が発電した電力を蓄積し、負荷が一日に消費する当日分の負荷電力を供給するだけの蓄電容量を有する電気二重層コンデンサと、
周囲の照度が設定値を越える場合には前記太陽電池からの電力を前記電気二重層コンデサに充電し、周囲の照度が設定値以下の場合には前記電気二重層コンデンサに蓄積された電力を負荷に供給して毎日充放電を繰り返すという制御を前記太陽電池の出力を検出することに基づいて行う負荷制御回路とからなることを特徴とする太陽電池装置。
【請求項２】　請求項１に記載の太陽電池装置において、前記太陽電池と前記電気二重層コンデンサとの間に介在し、前記太陽電池の出力が前記電気二重層コンデンサの過充電に達すると前記太陽電池の出力を遮断する過電圧保護回路を備えていることを特徴とする太陽電池装置。
【請求項３】　請求項１に記載の太陽電池装置において、前記電気二重層コンデンサおよび前記負荷制御回路を容器に内蔵し、前記太陽電池および前記負荷としての発光ダイオードを前記容器の表面に備えた安全標識灯として構成されていることを特徴とする太陽電池装置。」と記載され、
　【発明の詳細な説明】の項には、
「【００１７】　そこで、この発明の課題は、小型、長寿命、安全で、寒冷地での使用もでき、しかも低コストを実現し、かつ、晴天日射のない場所でも使用でき、使い易く、設置場所を選ばない太陽電池装置を提供することである。
【００１８】【課題を解決するための手段】　上記の課題を解決するため、この発明は次のような構成をとる。
　すなわち、請求項１に記載の太陽電池装置は、一日の日射量が雨天あるいは曇天の場合を想定し、その想定した雨天あるいは曇天の日射量で負荷が一日に消費する電力を発電するだけの容量を有し、日陰の場所にて設置可能な太陽電池と、前記太陽電池が発電した電力を蓄積し、負荷が一日に消費する当日分の負荷電力を供給するだけの蓄電容量を有する電気二重層コンデンサと、周囲の照度が設定値を越える場合には前記太陽電池からの電力を前記電気二重層コンデンサに充電し、周囲の照度が設定値以下の場合には前記電気二重層コンデンサに蓄積された電力を負荷に供給して毎日充放電を繰り返すという制御を前記太陽電池の出力を検出することに基づいて行う負荷制御回路とからなる構成としたのである。」、
「【００２１】【作用】　請求項１に記載の発明の作用は次のとおりである。
　このように構成される太陽電池装置では、太陽電池の容量（ユニット数）を多くすることにより、曇天や雨天時の発電を可能にすることによって、電気二重層コンデンサが負荷に供給する当日分の電力を日射のある日中に充電することができる。」、
「【００３１】　太陽電池２は、複数個の太陽電池モジュールを直並列に接続し、曇天や雨天が続き日中の日射量の少ない場合を想定し、その場合でも負荷が当日中に消費する電力を電気二重層コンデンサ３へ充電できるようにしたものである。
【００３２】　このため、日射量の大きな晴天時、充電電流は非常に大きなものとなるが、電気二重層コンデンサ３は、大電流を流しても問題がないため、短時間充電が行なえる。また、そのため、電流制限回路は特別に必要なく、逆流防止用ダイオードだけで良い。
【００３３】　その電気二重層コンデンサ３の容量ＰＢは、負荷６が１日に消費する電力を蓄電できる容量に設定する。」、
「【００４１】　また、符号５は、負荷６への供給電力の制御を行なう負荷制御回路で、例えば、太陽電池２の出力を検出し、その検出値が、日没後に設定値以下となると照度の低下を検知して負荷６への電力を供給したり、供給時間の制御を行なったりするものである。
【００４２】　この実施例は、以上のように構成されており、太陽電池装置１は、太陽電池２の容量を大きくしたことにより、日射量の少ない曇天や雨天に係らず、日中の発電によって、負荷６が当日消費する電力を電気二重層コンデンサ３に充電する。
【００４３】　このとき、太陽電池２への日射量は、一定ではなく、日の出から日の入りまでの間に大きく変化する。
【００４４】　即ち、周囲の照度が設定値以下となる日射量の少ない朝・夕や日射の無い夜間は、電気二重層コンデンサ３が負荷へ電力を供給する。
【００４５】　一方、周囲の照度が設定値を越える日射量の大きな昼間に電気二重層コンデンサ３は、太陽電池２により充電され、負荷６が１日に消費する電力が充電される。
【００４６】　この際、電気二重層コンデンサ３の容量ＰＢは、当日分の負荷電力を供給できる程度に小さく設定しているため、完全放電に近い充放電を毎日繰り返すこととなる。」、
「【００５７】【発明の効果】　以上の説明から明らかなように、請求項１に記載の発明によれば、雨天あるいは曇天の場合の一日の日射量と負荷の一日の消費電力を考慮して太陽電池および電気二重層コンデンサの容量を設定したので、日陰等どのような場所にも設置できる。さらに、負荷制御回路によって充放電を毎日行うようにして一日を最小の動作周期としたので、太陽電池および電気二重層コンデンサを小型化でき、装置の小型軽量化を図ることができる。」と記載されており、
　そして、これらの記載事項は、いずれも本件特許に係る出願の願書に最初に添付された明細書、図面に記載された事項の範囲内であったと認められる。
　
Ｂ−１．【特許請求の範囲】の記載事項について
　本件特許発明１は、請求項１に記載されたとおりの太陽電池、電気二重層コンデンサ、および負荷制御回路からなる構成を備えた太陽電池装置であって、その請求項１の記載事項から、
　その電気二重層コンデンサは、
（イ）日陰の場所にて設置可能であって、一日の日射量が雨天あるいは曇天の場合の日射量で負荷が一日に消費するだけの電力を発電する容量を有する太陽電池が発電した電力を蓄積し、かつ、
（ロ）負荷が一日に消費する当日分の負荷電力を供給するだけの蓄電容量を有し、かつ、
（ハ）前記太陽電池の出力を検出することに基づいて、負荷制御回路により、周囲の照度が設定値を越える場合には前記太陽電池からの電力を充電され、周囲の照度が設定値以下の場合には蓄積された電力を負荷に供給して毎日充放電を繰り返すという制御が行われるものであると認められる。
　そして、申立人も主張するような、雨天あるいは曇天といった天候のみならず、季節によっても、日射量が変動することは、一般的に公然知られた事実であるから、本件特許発明１に係る太陽電池が、季節による日射量の変動をも見込んだ一日の日射量が雨天あるいは曇天の場合を想定し、その想定した雨天あるいは曇天の日射量で負荷が一日に消費する電力を発電するだけの容量を有し、日陰の場所にて設置可能としたものであると解せられ、そして、電気二重層コンデンサが、該太陽電池が発電した電力を蓄積するものであるから、前記（イ）、（ロ）および（ハ）の記載事項より、該電気二重層コンデンサは、太陽電池が発電した電力を蓄積する容量として、日陰に設置した場合であっても、季節による日射量の変動をも見込んだ一日の日射量が雨天あるいは曇天の場合を想定し、その想定した雨天あるいは曇天の日射量で負荷が一日に消費する電力を発電するだけの容量を有する太陽電池の発電した電力を蓄電するとともに、当然、負荷が一日に最大に消費する負荷電力を供給することのできる容量を有するものと解することが妥当な技術的事項と認められ、さらに、当該技術的事項は、本件明細書の【発明の詳細な説明】の項の前記段落【００１７】、【００１８】、【００２１】、【００３１】乃至【００３３】、【００４１】乃至【００４６】、【００５７】に記載された事項の範囲内と認められ、申立人の主張するように電気二重層コンデンサが、可変容量タイプのものでなければならないとする技術的根拠も、負荷制御回路の作用が矛盾するとする技術的根拠も見いだすことはできない。
　したがって、本件特許発明１に係る電気二重層コンデンサが、可変容量タイプのものであって、本件特許発明１の構成に欠くことができない技術的事項とすることはできず、負荷制御回路の作用と矛盾するものともできない。
　また、本件特許発明２乃至３についても、上述のとおりであって、電気二重層コンデンサが、可変容量タイプのものであって、本件特許発明２乃至３の構成にも欠くことができない技術的事項とすることはできず、負荷制御回路の作用と矛盾するものともできない。
　
Ｂ−２．【発明の詳細な説明】の項の記載事項について
　上記Ｂ−１で検討したとおりの太陽電池、電気二重層コンデンサの作用効果からみて、【発明の詳細な説明】の項に記載された負荷制御回路の作用効果について、申立人の主張するような矛盾が存在するものとも認められず、ほかに、本件特許発明１乃至３の属する通常の知識を有する者が容易にその実施をできる程度に、その発明の目的、構成及び効果を記載していないとする技術的根拠も見いだせない。
　
４．むすび
　以上のとおりであるから、特許法第３６条第４項、第５項及び第６項の規定により、本件特許発明１乃至３について拒絶をすることはできない。
　また、ほかに、本件特許発明１乃至３について拒絶をすべき理由を発見しない。
　よって、結論のとおり決定する。
【異議決定日】
平成１２年７月２７日（２０００．７．２７）